(57)【要約】【課題】帯状の台紙１２の表裏両面にラベル１３、１４を仮着した三層構成の両面ラベルの表面側ラベル１３および裏面側ラベル１４の位置検出を実行可能とし、台紙１２の表裏面におけるラベル片１７、２２のピッチサイズが異なっても正規な印字を可能とした両面ラベルを提供すること。【解決手段】表裏面のラベル（ラベル片１７、２２）に位置検出用のマーク１９、２４をそれぞれ同一面に形成することに着目し、表面側ラベル１３を表面側ラベル片１７に分離するための表面側分離用スリット１６を形成し、裏面側ラベル１４を裏面側ラベル片２２に分離するための裏面側分離用スリットを形成し、表面側分離用スリット１６の部位に位置して表面側位置検出用マーク１９を形成するとともに、裏面側分離用スリット２１の部位に位置して裏面側位置検出用マーク２４を形成していることを特徴とする。【選択図】図３
2010032711.tif 000002
【特許請求の範囲】
【請求項１】
長さ方向に帯状の台紙と、
この台紙の表面側に仮着する表面側ラベルと、
この台紙の裏面側に仮着する裏面側ラベルと、を有する両面ラベルであって、
前記表面側ラベルをそれぞれの表面側ラベル片に分離するための表面側分離用スリットを前記表面側ラベルに表面側ピッチで形成するとともに、
前記裏面側ラベルをそれぞれの裏面側ラベル片に分離するための裏面側分離用スリットを前記裏面側ラベルに裏面側ピッチで形成し、さらに、
前記表面側分離用スリットの部位に位置して前記表面側ラベル片の位置を検出するための表面側位置検出用マークを形成するとともに、
前記裏面側分離用スリットの部位に位置して前記裏面側ラベル片の位置を検出するための裏面側位置検出用マークを形成していることを特徴とする両面ラベル。
【請求項２】
前記表面側ラベル片および前記表面側位置検出用マークの総和長さと、前記裏面側ラベル片および前記裏面側位置検出用マークの総和長さとは、これらを互いに同一にしたことを特徴とする請求項１記載の両面ラベル。
【請求項３】
前記表面側ラベル片および前記表面側位置検出用マークを形成する表面側領域、および前記裏面側ラベル片および前記裏面側位置検出用マークを形成する裏面側領域は、
当該両面ラベルの表裏において互いに同一位置にこれらを形成していることを特徴とする請求項１記載の両面ラベル。
【請求項４】
前記表面側分離用スリットは、
前記表面側位置検出用マークの上流側縁部に位置する表面上流側スリットと、下流側縁部に位置する表面下流側スリットと、を有するとともに、
前記裏面側分離用スリットは、
前記裏面側位置検出用マークの上流側縁部に位置する裏面上流側スリットと、下流側縁部に位置する裏面下流側スリットと、を有し、さらに、
前記表面側位置検出用マークは、前記表面上流側スリットと前記表面下流側スリットとの間の表面側カス上げ部にこれを形成するとともに、
前記裏面側位置検出用マークは、前記裏面上流側スリットと前記裏面下流側スリットとの間の裏面側カス上げ部にこれを形成していることを特徴とする請求項１記載の両面ラベル。
【請求項５】
前記表面上流側スリットおよび前記裏面上流側スリットは、
当該両面ラベルの表裏において互いに同一位置にこれらを形成していることを特徴とする請求項４記載の両面ラベル。
【請求項６】
前記表面下流側スリットおよび前記裏面下流側スリットは、
当該両面ラベルの表裏において互いに同一位置にこれらを形成していることを特徴とする請求項４記載の両面ラベル。
【請求項７】
前記表面側ラベル片と前記表面側位置検出用マークとにより表面側マーク付きラベル片を形成するとともに、
前記裏面側ラベル片と前記裏面側位置検出用マークとにより裏面側マーク付きラベル片を形成し、さらに、
前記表面側分離用スリットにより、隣り合う前記表面側マーク付きラベル片を互いに分離可能とするとともに、
前記裏面側分離用スリットにより、隣り合う前記裏面側マーク付きラベル片を互いに分離可能とすることを特徴とする請求項１記載の両面ラベル。
【請求項８】
前記表面側分離用スリットにより前記表面側マーク付きラベル片の前記表面側ラベル片と前記表面側位置検出用マークとを互いに分離可能とするとともに、
前記裏面側分離用スリットにより前記裏面側マーク付きラベル片の前記裏面側ラベル片と前記裏面側位置検出用マークとを互いに分離可能とすることを特徴とする請求項７記載の両面ラベル。
【請求項９】
前記表面側位置検出用マークおよび裏面側位置検出用マークは、
少なくともそのいずれか一方が、複数本のマークユニットから構成されていることを特徴とする請求項１記載の両面ラベル。
【発明の詳細な説明】
【技術分野】
【０００１】
本発明は両面ラベルにかかるもので、とくに帯状の台紙の表裏面にそれぞれラベルを仮着した三層構造の両面ラベルに関するものである。
【背景技術】
【０００２】
従来のサーマルプリンターは、サーマルヘッドおよびプラテンローラーを備えているとともに、その間にサーマル印字用紙を挟持して移送印字を行うが、サーマル印字用紙の片面のみに印字を行うものであった。
しかして、省資源および環境保全の立場から、サーマル印字用紙の表裏両面にそれぞれ印字を行うことができる両面印字用サーマルプリンターが提案されている（たとえば、特許文献１を参照）。
この両面印字用サーマルプリンターは、表面印字用として第１のサーマルヘッドおよび第１のプラテンローラーという第１の対、さらに裏面印字用として第２のサーマルヘッドおよび第２のプラテンローラーという第２の対を備えているが、サーマル印字用紙のピッチが表裏の両面ともに同一サイズであること、および表裏の印字領域が同一位置でなければならないという問題がある。
しかしながら、実際の利用形態としては、表裏面における印字用紙のサイズが異なる場合もあり得るもので、利用形態ないし応用形態の拡大のためには、表裏面でのサイズが異なる場合にも対応可能であることが望まれる。
【０００３】
また、サーマル印字用紙として、帯状の台紙（剥離紙）およびこの台紙の表面側に仮着する複数枚のラベル片からなるラベル連続体を用いる場合には、台紙の裏面側にラベル片単位ごとに位置検出用マークをあらかじめ印刷し、プリンターに備えた反射型センサーなどによりこれを検出して、ラベル片の位置検出に用いている。
しかしながら、台紙の表裏面にそれぞれラベルを仮着した三層構造の両面ラベルの場合には、この位置検出用マークの印刷部位をどこにすれば最適かという問題、および表裏面でそれぞれピッチサイズが異なるラベル片を有する両面ラベルを装填しても、それぞれのラベル片の印字ごとに表裏面においてラベル片の位置がずれていかないようにする必要があるという問題がある。
【０００４】
【特許文献１】特開２００８−６８０２号公報
【発明の開示】
【発明が解決しようとする課題】
【０００５】
本発明は以上のような諸問題にかんがみなされたもので、帯状の台紙の表裏両面にラベルを仮着した構成の両面ラベルの表面側ラベルおよび裏面側ラベルについて、それぞれの位置検出を実行可能として、適正に印字を可能としている両面ラベルを提供することを課題とする。
【０００６】
また本発明は、台紙の表裏面におけるラベル片のピッチサイズが異なっても正規な印字を可能とした両面ラベルを提供することを課題とする。
【０００７】
また本発明は、台紙の表裏面におけるラベル片の位置検出用マークを、それぞれのラベル片に関連して最適な形態で適正に形成し、正規な印字を可能とした両面ラベルを提供することを課題とする。
【０００８】
また本発明は、台紙の表裏面におけるラベル片のピッチサイズが異なっても、ラベル片への印字位置が表裏面でずれることがないようにした両面ラベルを提供することを課題とする。
【０００９】
また本発明は、位置検出用マークを表裏面のラベルの適正部位に印刷して、ラベル片のピッチサイズを確認可能としている両面ラベルを提供することを課題とする。
【課題を解決するための手段】
【００１０】
すなわち本発明は、表裏面におけるラベル（ラベル片）に位置検出用のマークをそれぞれ同一面に形成すること、すなわち、表面側分離用スリットにより表面側ラベルに表面側ラベル片を形成可能とするとともに、裏面側分離用スリットにより裏面側ラベルに裏面側ラベル片を形成可能とし、さらに、表面側分離用スリットの部位（同一位置、あるいはその縁部）に位置して表面側ラベル片の位置検出用の表面側位置検出用マークを形成するとともに、裏面側分離用スリットの部位に位置して裏面側ラベル片の位置検出用の裏面側位置検出用マークを形成すること、さらには、表裏面におけるそれぞれ位置検出用マークの長さを表裏面におけるラベル片のピッチに応じて変えること、などに着目したもので、長さ方向に帯状の台紙と、この台紙の表面側に仮着する表面側ラベルと、この台紙の裏面側に仮着する裏面側ラベルと、を有する両面ラベルであって、上記表面側ラベルをそれぞれの表面側ラベル片に分離するための表面側分離用スリットを上記表面側ラベルに表面側ピッチで形成するとともに、上記裏面側ラベルをそれぞれの裏面側ラベル片に分離するための裏面側分離用スリットを上記裏面側ラベルに裏面側ピッチで形成し、さらに、上記表面側分離用スリットの部位に位置して上記表面側ラベル片の位置を検出するための表面側位置検出用マークを形成するとともに、上記裏面側分離用スリットの部位に位置して上記裏面側ラベル片の位置を検出するための裏面側位置検出用マークを形成していることを特徴とする両面ラベルである。
【００１１】
上記表面側ラベル片および上記表面側位置検出用マークの総和長さと、上記裏面側ラベル片および上記裏面側位置検出用マークの総和長さとは、これらを互いに同一にすることができる。
【００１２】
上記表面側ラベル片および上記表面側位置検出用マークを形成する表面側領域（表面側マーク付きラベル片）、および上記裏面側ラベル片および上記裏面側位置検出用マークを形成する裏面側領域（裏面側マーク付きラベル片）は、当該両面ラベルの表裏において互いに同一位置にこれらを形成していることができる。
【００１３】
上記表面側分離用スリットは、上記表面側位置検出用マークの上流側縁部に位置する表面上流側スリットと、下流側縁部に位置する表面下流側スリットと、を有するとともに、上記裏面側分離用スリットは、上記裏面側位置検出用マークの上流側縁部に位置する裏面上流側スリットと、下流側縁部に位置する裏面下流側スリットと、を有し、さらに、上記表面側位置検出用マークは、上記表面上流側スリットと上記表面下流側スリットとの間の表面側カス上げ部にこれを形成するとともに、上記裏面側位置検出用マークは、上記裏面上流側スリットと上記裏面下流側スリットとの間の裏面側カス上げ部にこれを形成していることができる。
【００１４】
上記表面上流側スリットおよび上記裏面上流側スリットは、当該両面ラベルの表裏において互いに同一位置にこれらを形成していることができる。
すなわち、表面側ラベル片および裏面側ラベル片は、それぞれの上流側の縁部にそれぞれの位置検出用マークを位置させ、この縁部おいて同一位置に合わせることができる。
【００１５】
上記表面下流側スリットおよび上記裏面下流側スリットは、当該両面ラベルの表裏において互いに同一位置にこれらを形成していることができる。
すなわち、表面側ラベル片および裏面側ラベル片は、それぞれの下流側の縁部にそれぞれの位置検出用マークを位置させ、この縁部おいて同一位置に合わせることができる。
【００１６】
上記表面側ラベル片と上記表面側位置検出用マークとにより表面側マーク付きラベル片を形成するとともに、上記裏面側ラベル片と上記裏面側位置検出用マークとにより裏面側マーク付きラベル片を形成し、さらに、上記表面側分離用スリットにより、隣り合う上記表面側マーク付きラベル片を互いに分離可能とするとともに、上記裏面側分離用スリットにより、隣り合う上記裏面側マーク付きラベル片を互いに分離可能とすることができる。
【００１７】
上記表面側分離用スリットにより上記表面側マーク付きラベル片の上記表面側ラベル片と上記表面側位置検出用マークとを互いに分離可能とするとともに、上記裏面側分離用スリットにより上記裏面側マーク付きラベル片の上記裏面側ラベル片と上記裏面側位置検出用マークとを互いに分離可能とすることができる。
【００１８】
上記表面側位置検出用マークおよび裏面側位置検出用マークは、少なくともそのいずれか一方が、複数本のマークユニットから構成されていることができる。
【００１９】
当該両面ラベルは、これをファンフォールド型のラベル連続体、あるいはロール状に巻き取った状態のラベル連続体、など任意の形態で供給可能とすることができる。
【００２０】
上記表面側位置検出用マークおよび上記裏面側位置検出用マークは、反射型センサーによりこれを検出可能とすることが望ましい。
【００２１】
上記表面側ラベル片および上記裏面側ラベル片は、上記表面側位置検出用マークおよび上記裏面側位置検出用マークのそれぞれの長さを調整することにより、互いにその長さが異なることができるし、あるいは、互いにその長さが同じであることができる。
同様に、上記表面側分離用スリットの上記表面側ピッチ、および上記裏面側分離用スリットの上記裏面側ピッチは、互いにその長さが異なることができるし、あるいは、互いにその長さが同じであることができる。
すなわち、上記表面側位置検出用マークおよび裏面側位置検出用マークは、互いにその長さが異なることができるし、あるいは同じであることもできる。
【発明の効果】
【００２２】
本発明による両面ラベルにおいては、表面側分離用スリットにより表面側ラベルに表面側ラベル片を形成可能とするとともに、裏面側分離用スリットにより裏面側ラベルに裏面側ラベル片を形成可能とし、表面側分離用スリットの部位に位置して表面側ラベル片の位置検出用の表面側位置検出用マークを形成するとともに、裏面側分離用スリットの部位に位置して裏面側ラベル片の位置検出用の裏面側位置検出用マークを形成するようにしたので、サーマルプリンターの初期動作として当該両面ラベルを初期移送して、表裏面それぞれの表面側位置検出用マークおよび裏面側位置検出用マークを検出可能であって、この検出信号により、表面側ラベル片および裏面側ラベル片の印字部との相対位置およびラベルサイズを容易に確認可能とすることができる。
したがって、表面側ラベル片および裏面側ラベル片それぞれのラベルサイズに応じて必要な情報を所要の印字レイアウトにもとづき適正に印字を行うことができ、表裏面で異なるラベルサイズであっても一度に発行可能で、印字作業の時間を短縮可能である。
【００２３】
なお、台紙の表裏面におけるラベル片（表面側ラベル片および裏面側ラベル片）のそれぞれのピッチサイズが異なっても、表面側位置検出用マークおよび裏面側位置検出用マークのそれぞれの長さ調整することにより、マーク付きラベル片の領域（表面側領域および裏面側領域）を同じ長さとするとともに、表面側分離用スリットおよび裏面側分離用スリットの形成位置を同一部位として、正規な印字を可能とするとともに、当該両面ラベルの表裏面における表面側ラベルおよび裏面側ラベルの消耗量を同量とすることができる。
【発明を実施するための最良の形態】
【００２４】
本発明は、台紙の表裏面に表面側ラベルおよび裏面側ラベルを仮着した三層構造のラベル連続体において、表面側ラベルのそれぞれの表面側ラベル片に表面側分離用スリットおよび表面側位置検出用マークを形成するとともに、裏面側ラベルのそれぞれの裏面側ラベル片に裏面側分離用スリットおよび裏面側位置検出用マークを形成するようにしたので、ラベル片のピッチサイズが同じ場合あるいは異なる場合であっても、適正な位置検出およびサイズ検出を可能とし、正規の移送によりその表裏面のラベル片に適正な印字を施すことができる両面ラベルを実現した。
【実施例】
【００２５】
つぎに本発明の第１の実施例による両面ラベルおよびこれを装填して移送印字するための両面ラベルプリンター１を図１ないし図４にもとづき説明する。
図１は、両面ラベルプリンター１の概略側面図、図２は、両面ラベルプリンター１の回路ブロック図であって、両面ラベルプリンター１は、両面ラベル２の供給部３と、移送路４と、検出部（表面側検出部５および裏面側検出部６）と、印字部（表面側印字部７および裏面側印字部８）と、入力表示部９と、制御部１０と、パソコン１１と、を有する。
【００２６】
図３は、両面ラベル２の説明図であって、図３（１）は、両面ラベル２の平面図、図３（２）は、両面ラベル２の裏面図、図４は、図３（１）のＩＶ−ＩＶ線断面図である。
両面ラベル２は、両面ラベルプリンター１においてこれが移送されるその長さ方向に帯状に延びる台紙１２（剥離紙）と、台紙１２の表面側に仮着する表面側ラベル１３と、台紙１２の裏面側に仮着する裏面側ラベル１４と、を有する。
とくに図４に示すように、表面側ラベル１３および裏面側ラベル１４のそれぞれの裏面には粘着剤層１５を形成し、台紙１２の表裏面に設けた剥離剤層（図示せず）を介して表面側ラベル１３および裏面側ラベル１４を台紙１２に仮着可能としている。
【００２７】
表面側ラベル１３には、表面側分離用スリット１６を表面側ピッチで形成することにより、表面側ラベル１３をそれぞれの表面側ラベル片１７および表面側カス上げ部１８（表面側位置検出用マーク１９）に分離する。
すなわち、表面側位置検出用マーク１９を形成した表面側ラベル１３の部分は、これを表面側カス上げ部１８としている。
表面側ラベル片１７それぞれには、表面側分離用スリット１６の部位に位置して表面側位置検出用マーク１９を形成している。
【００２８】
表面側分離用スリット１６により表面側位置検出用マーク１９を表面側ラベル片１７から分離可能としている。
具体的には、とくに図３（１）に示すように、表面側分離用スリット１６は、表面側位置検出用マーク１９の上流側縁部に位置する表面上流側スリット１６Ａと、下流側縁部に位置する表面下流側スリット１６Ｂと、を有する。
表面側位置検出用マーク１９は、この表面上流側スリット１６Ａと表面下流側スリット１６Ｂとの間の表面側領域（表面側カス上げ部１８）にこれを形成する。
表面側ラベル片１７と表面側位置検出用マーク１９とにより表面側マーク付きラベル片２０を形成する。
ただし、表面側分離用スリット１６により、隣り合う表面側マーク付きラベル片２０を互いに分離可能とするとともに、表面側マーク付きラベル片２０の表面側ラベル片１７と表面側位置検出用マーク１９とを互いに分離可能とする。
なお、表面側分離用スリット１６のうち表面下流側スリット１６Ｂを形成せずに、表面側ラベル片１７と表面側位置検出用マーク１９とを互いに分離することなく一体としたまま、表面側マーク付きラベル片２０として利用することもできる。
【００２９】
裏面側ラベル１４には、裏面側分離用スリット２１を裏面側ピッチで形成することにより、裏面側ラベル１４をそれぞれの裏面側ラベル片２２および裏面側カス上げ部２３（裏面側位置検出用マーク２４）に分離する。
すなわち、裏面側位置検出用マーク２４を形成した裏面側ラベル１４の部分は、これを裏面側カス上げ部２３としている。
裏面側ラベル片２２それぞれには、裏面側分離用スリット２１の部位に位置して裏面側位置検出用マーク２４を形成している。
【００３０】
裏面側分離用スリット２１により裏面側位置検出用マーク２４を裏面側ラベル片２２から分離可能としている
具体的には、とくに図３（２）に示すように、裏面側分離用スリット２１は、裏面側位置検出用マーク２４の上流側縁部に位置する裏面上流側スリット２１Ａと、下流側縁部に位置する裏面下流側スリット２１Ｂと、を有する。
裏面側位置検出用マーク２４は、この裏面上流側スリット２１Ａと裏面下流側スリット２１Ｂとの間の裏面側領域（裏面側カス上げ部２３）にこれを形成している。
裏面側ラベル片２２と裏面側位置検出用マーク２４とにより裏面側マーク付きラベル片２５を形成する。
ただし、裏面側分離用スリット２１により、隣り合う裏面側マーク付きラベル片２５を互いに分離可能とするとともに、裏面側マーク付きラベル片２５の裏面側ラベル片２２と裏面側位置検出用マーク２４とを互いに分離可能とする。
なお、裏面側分離用スリット２１のうち裏面下流側スリット２１Ｂを形成せずに、裏面側ラベル片２２と裏面側位置検出用マーク２４とを互いに分離することなく一体としたまま、裏面側マーク付きラベル片２５として利用することもできる。
【００３１】
とくに図３および図４に示すように、表面側ラベル片１７および表面側位置検出用マーク１９の総和長さ（表面側マーク付きラベル片２０の長さ）と、裏面側ラベル片２２および裏面側位置検出用マーク２４の総和長さ（裏面側マーク付きラベル片２５の長さ）とは、これらを互いに同一にしている。
さらに、表面側ラベル片１７および表面側位置検出用マーク１９を形成する表面側領域（表面側マーク付きラベル片２０）、および裏面側ラベル片２２および裏面側位置検出用マーク２４を形成する裏面側領域（裏面側マーク付きラベル片２５）は、当該両面ラベル２の表裏において互いに同一位置にこれらを形成している。
換言すれば、表面上流側スリット１６Ａおよび裏面上流側スリット２１Ａは、当該両面ラベル２の表裏において互いに同一位置にこれらを形成している。
あるいは、表面下流側スリット１６Ｂおよび裏面下流側スリット２１Ｂを、当該両面ラベル２の表裏において互いに同一位置に形成するように構成することもできる。
【００３２】
図１に戻って、上述の両面ラベル２は、図示のようにつづら折り状のファンフォールドタイプとすることもできるし、これをロール状に巻いた状態（仮想線参照）とすることもできるもので、両面ラベル２の供給部３は、両面ラベル２をつづら折り状あるいはロール状に装填するとともに、前記移送路４に繰り出し可能とする。
【００３３】
表面側検出部５は、表面側位置検出用マーク１９を検出する表面側位置検出センサー２６を有する。
裏面側検出部６は、裏面側位置検出用マーク２４を検出する裏面側位置検出センサー２７を有する。
【００３４】
表面側印字部７および裏面側印字部８は、両面ラベル２の移送にともなって表面側ラベル１３（表面側ラベル片１７）および裏面側ラベル１４（裏面側ラベル片２２）に印字する。
表面側印字部７は、表面用サーマルヘッド２８および表面用プラテンローラー２９、さらに駆動用ステッピングモーター３０を有し、表面用サーマルヘッド２８および表面用プラテンローラー２９の間に両面ラベル２を挟持し、駆動用ステッピングモーター３０により表面用プラテンローラー２９を回転駆動して表面用サーマルヘッド２８により表面側ラベル１３側に印字する。
裏面側印字部８は、裏面用サーマルヘッド３１および裏面用プラテンローラー３２、さらに駆動用ステッピングモーター３０を有し、裏面用サーマルヘッド３１および裏面用プラテンローラー３２の間に両面ラベル２を挟持し、駆動用ステッピングモーター３０により裏面用プラテンローラー３２を回転駆動して裏面用サーマルヘッド３１により裏面側ラベル１４側に印字する。
【００３５】
入力表示部９は、必要な印字データおよび制御コマンドを入力するとともに、これらを表示するもので、パソコン１１からの印字データおよび制御コマンドもこれを表示可能とする。
【００３６】
制御部１０は、とくに図２に示すように、ＣＰＵ３３と、ＲＯＭ３４と、ＲＡＭ３５と、モーター制御部３６と、表面側印字制御部３７と、裏面側印字制御部３８と、表面側位置検出制御部３９と、裏面側位置検出制御部４０と、入力表示部９に接続している内部インターフェース部４１と、パソコン１１に接続している外部インターフェース部４２と、を有する。
制御部１０は、両面ラベル２の移送にともなって、表面側位置検出センサー２６からの信号により表面側ラベル片１７の表面側ピッチを検出するとともに、裏面側位置検出センサー２７からの信号により裏面側ラベル片２２の裏面側ピッチを検出して、印字部（表面側印字部７、裏面側印字部８）による表面側ラベル１３および裏面側ラベル１４への印字を制御する。
また両面ラベルプリンター１の仕様によっては、制御部１０は、表面側ラベル片１７の表面側ピッチおよび裏面側ラベル片２２の裏面側ピッチの検出にともなって、両面ラベル２の初期印字位置まで両面ラベル２を逆移送するように制御することが望ましい。
【００３７】
パソコン１１は、必要に応じて外部機器としてこれを設けることができ、表面側印字部７、裏面側印字部８および制御部１０などへの必要なデータおよびコマンドを供給する。
【００３８】
こうした構成の両面ラベルプリンター１および両面ラベル２において、両面ラベル２を移送路４に装填ののち必要な長さ分だけ（最低限、表面側マーク付きラベル片２０および裏面側マーク付きラベル片２５の長さ分だけ）これを初期移送して、表面側位置検出センサー２６により表面側位置検出用マーク１９を検出し、裏面側位置検出センサー２７により裏面側位置検出用マーク２４を検出するとともに、両面ラベル２の移送にともなって、表面側位置検出センサー２６からの信号により表面側ラベル片１７の表面側ピッチを検出し、裏面側位置検出センサー２７からの信号により裏面側ラベル片２２の裏面側ピッチを検出し、必要ならば両面ラベル２の初期印字位置まで両面ラベル２を逆移送し、表面側印字部７および裏面側印字部８による表面側ラベル１３および裏面側ラベル１４への印字を行うことができる。
【００３９】
かくして、三層構造の両面ラベル２を適正に移送路４上を移送可能であるとともに、表面側ラベル１３（表面側ラベル片１７）および裏面側ラベル１４（裏面側ラベル片２２）のそれぞれのピッチないしラベルサイズを検出して、これらに確実に印字を行うことができる。
【００４０】
図５は、本発明の第２の実施例による両面ラベル５０の説明図であって、図５（１）は、両面ラベル５０の平面図、図５（２）は、両面ラベル５０の裏面図、図６は、図５（１）のＶＩ−ＶＩ線断面図である。
両面ラベル５０において、表面側位置検出用マーク１９および裏面側位置検出用マーク２４は、少なくともそのいずれか一方（図示の例の場合、裏面側位置検出用マーク２４）が、複数本（たとえば二本）のマークユニット（上流側マークユニット５１Ａ、下流側マークユニット５１Ｂ）から構成されている。
たとえば裏面側位置検出用マーク２４は、その上流側に位置する上流側マークユニット５１Ａと、その下流側に位置する下流側マークユニット５１Ｂと、からこれを構成する。
なお、裏面上流側スリット２１Ａにより、裏面側ラベル片２２と裏面側位置検出用マーク２４（上流側マークユニット５１Ａ）との間を分離可能としているとともに、裏面下流側スリット２１Ｂにより、裏面側ラベル片２２と裏面側位置検出用マーク２４（下流側マークユニット５１Ｂ）との間を分離可能としており、裏面側位置検出用マーク２４全体を裏面側カス上げ部２３としている。
【００４１】
こうした構成の両面ラベル５０および前述の両面ラベルプリンター１（図１）においては、裏面側位置検出センサー２７が裏面側位置検出用マーク２４の下流側マークユニット５１Ｂを検出することにより裏面側ラベル片２２のそれぞれの終端部を検出するとともに、上流側マークユニット５１Ａを検出することにより裏面側ラベル片２２のそれぞれの位置検出を行って、第１の実施例による両面ラベル２（図３、図４）の場合と同様に適正な移送および印字を実行することができる。
【００４２】
なお、裏面側位置検出用マーク２４を複数本のマークユニット（上流側マークユニット５１Ａ、下流側マークユニット５１Ｂ）から構成することにより、裏面側ラベル１４における裏面側位置検出用マーク２４の印刷時にそのインキの乾燥時間を短縮することができる。
【図面の簡単な説明】
【００４３】
【図１】本発明の第１の実施例による両面ラベル２を装填して移送印字するための両面ラベルプリンター１の概略側面図である。
【図２】同、両面ラベルプリンター１の回路ブロック図である。
【図３】同、両面ラベル２の説明図であって、図３（１）は、両面ラベル２の平面図、図３（２）は、両面ラベル２の裏面図である。
【図４】同、図３（１）のＩＶ−ＩＶ線断面図である。
【図５】本発明の第２の実施例による両面ラベル５０の説明図であって、図５（１）は、両面ラベル５０の平面図、図５（２）は、両面ラベル５０の裏面図である。
【図６】同、図５（１）のＶＩ−ＶＩ線断面図である。
【符号の説明】
【００４４】
１  両面ラベルプリンター（図１）
２  両面ラベル（第１の実施例、図３、図４）
３  供給部
４  移送路
５  表面側検出部（検出部）
６  裏面側検出部（検出部）
７  表面側印字部（印字部）
８  裏面側印字部（印字部）
９  入力表示部
１０  制御部
１１  パソコン
１２  台紙
１３  表面側ラベル
１４  裏面側ラベル
１５  粘着剤層
１６  表面側分離用スリット
１６Ａ  表面側分離用スリット１６の表面上流側スリット
１６Ｂ  表面側分離用スリット１６の表面下流側スリット
１７  表面側ラベル片
１８  表面側カス上げ部
１９  表面側位置検出用マーク
２０  表面側マーク付きラベル片
２１  裏面側分離用スリット
２１Ａ  裏面側分離用スリット２１の裏面上流側スリット
２１Ｂ  裏面側分離用スリット２１の裏面下流側スリット
２２  裏面側ラベル片
２３  裏面側カス上げ部
２４  裏面側位置検出用マーク
２５  裏面側マーク付きラベル片
２６  表面側位置検出センサー
２７  裏面側位置検出センサー
２８  表面用サーマルヘッド
２９  表面用プラテンローラー
３０  駆動用ステッピングモーター
３１  裏面用サーマルヘッド
３２  裏面用プラテンローラー
３３  ＣＰＵ
３４  ＲＯＭ
３５  ＲＡＭ
３６  モーター制御部
３７  表面側印字制御部
３８  裏面側印字制御部
３９  表面側位置検出制御部
４０  裏面側位置検出制御部
４１  内部インターフェース部
４２  外部インターフェース部
５０  両面ラベル（第２の実施例、図５、図６）
５１Ａ  裏面側位置検出用マーク２４の上流側マークユニット（マークユニット）
５１Ｂ  裏面側位置検出用マーク２４の下流側マークユニット（マークユニット）
【図１】
2010032711.tif 000003
【図２】
2010032711.tif 000004
【図３】
2010032711.tif 000005
【図４】
2010032711.tif 000006
【図５】
2010032711.tif 000007
【図６】
2010032711.tif 000008